(57)【要約】【課題】少なくとも１枚の両面表示パネルを含む複数枚の表示パネルを用いて折り畳み構造にすることにより、１面表示および複数面表示を実現し得る折り畳み式情報表示装置を提供する。【解決手段】本発明の折り畳み式情報表示装置１１は、少なくとも１枚の両面表示可能な情報表示用パネル１と、少なくとも片面表示可能な１枚の情報表示用パネル１とを含む複数枚の情報表示用パネル１としての、４枚の両面表示可能な情報表示用パネル１をヒンジ４で連結し、折り畳んで重ねて構成されており、４枚の両面表示可能な情報表示用パネル１は、表示部パネル２の表示領域２ａが筺体３の中心に対して非対称に形成されている。【選択図】図３
2009122189.tif 000002
【特許請求の範囲】
【請求項１】
少なくとも１枚の両面表示可能な情報表示用パネルと、少なくとも片面表示可能な１枚の情報表示用パネルとを含む複数枚の情報表示用パネルをヒンジで連結し、折り畳んで重ねて構成したことを特徴とする折り畳み式情報表示装置。
【請求項２】
情報表示用パネルの表示領域が筺体の中心に対して非対称に形成された４枚の両面表示可能な情報表示用パネルで構成されていることを特徴とする請求項１に記載の折り畳み式情報表示装置。
【請求項３】
両面表示可能な情報表示用パネルの片面がカラーフィルターを用いたカラー情報表示用パネルで構成されていることを特徴とする請求項１または２に記載の折り畳み式情報表示装置。
【請求項４】
情報表示用パネルの表示部パネルを、電界駆動可能な表示媒体を２枚の基板間に封入し、基板に設けた対電極から電界を付与することで表示媒体を移動させて画像等の情報を書換表示するドットマトリックス表示方式の表示部パネルとしたことを特徴とする請求項１〜３の何れか１項に記載の折り畳み式情報表示装置。
【発明の詳細な説明】
【技術分野】
【０００１】
本発明は、電界駆動可能な表示媒体を２枚の基板間に封入し、基板に設けた対電極から電界を付与することで表示媒体を移動させて画像等の情報を書換表示する表示部パネルで構成した、少なくとも片面表示可能な情報表示用パネルを複数枚用いて、１面表示可能な情報表示装置および複数面表示可能な情報表示装置として構成した折り畳み式情報表示装置に関するものである。
【背景技術】
【０００２】
少なくとも１枚の片面可能な情報表示用表示パネルを用いて構成した情報表示装置の従来例としては、例えば図１６（ａ），（ｂ）に示すものがある。図１６（ａ）に示す情報表示装置５１は、筺体５２に１枚の片面表示可能な情報表示用パネル５３を搭載することにより、図示の手前側の面を表示領域５３ａとすることにより１面表示（片面表示）を実現している。図１６（ｂ）に示す情報表示装置は、図１６（ａ）に示す情報表示装置を２つ並べることにより、図示の手前側の面において複数面表示（この場合、２面表示）を実現している。
【発明の開示】
【発明が解決しようとする課題】
【０００３】
上記図１６（ａ）に示す従来の情報表示装置は１面表示のみを実現する情報表示装置であり、図１６（ｂ）に示す従来の情報表示装置は２面表示のみを実現する情報表示装置であるため、１面表示および２面を超える複数面表示を実現し得る情報表示装置とはなっていない。そのため、何れの情報表示装置を用いた場合であっても、通常の本や雑誌のように、「２ページを見開きで俯瞰する読書動作」と、「折り畳んで片方のページだけを熟読する読書動作」とを両立させることは不可能である。
【０００４】
本発明は、少なくとも１枚の両面表示パネルを含む複数枚の表示パネルを用いて折り畳み構造にすることにより、１面表示および複数面表示を実現し得る折り畳み式情報表示装置を提供することを目的とする。
【課題を解決するための手段】
【０００５】
上記目的を達成するため、本発明の折り畳み式情報表示装置は、少なくとも１枚の両面表示可能な情報表示用パネルと、少なくとも片面表示可能な１枚の情報表示用パネルとを含む複数枚の情報表示用パネルをヒンジで連結し、折り畳んで重ねて構成したことを特徴とする。
【０００６】
上記本発明の折り畳み式情報表示装置の好適例としては、情報表示用パネルの表示領域が筺体の中心に対して非対称に形成された４枚の両面表示可能な情報表示用パネルで構成されていること、両面表示可能な情報表示用パネルの片面がカラーフィルターを用いたカラー情報表示用パネルで構成されていること、および、情報表示用パネルの表示部パネルを、電界駆動可能な表示媒体を２枚の基板間に封入し、基板に設けた対電極から電界を付与することで表示媒体を移動させて画像等の情報を書換表示するドットマトリックス表示方式の表示部パネルとしたこと、がある。
【発明の効果】
【０００７】
上記本発明の折り畳み式情報表示装置によれば、少なくとも１枚の両面表示可能な情報表示用パネルと、少なくとも片面表示可能な１枚の情報表示用パネルとを含む複数枚の情報表示用パネルをヒンジで連結し、折り畳んで重ねて構成したから、折り畳んで使用することにより１面表示を実現することができ、広げて使用することにより複数面表示を実現することができる。したがって、１面表示および複数面表示を実現し得る折り畳み式情報表示装置を提供することができる。
【発明を実施するための最良の形態】
【０００８】
以下、本発明を実施するための最良の形態を図面に基づき詳細に説明する。
【０００９】
図１（ａ）、（ｂ）はそれぞれ、本発明の折り畳み式情報表示装置を構成し得る両面表示可能な情報表示用パネルの一例を説明するための図であり、図１（ａ）はその平面図を、図１（ｂ）は図１（ａ）のＡ−Ａ線に沿った断面図を、それぞれ示している。図１（ａ）、（ｂ）に示す例において、情報表示用パネル１は、表裏両面で情報を表示できるように構成した表示部パネル２と、表示部パネル２の周囲に設けられた筐体３と、から構成されている。表示部パネル２は、帯電性粒子を含んだ粒子群として構成される表示媒体を２枚の電極付き基板間の空間に封止した構成の表裏両面で情報を表示できる１枚の表示部パネルを用いて構成されている。なお、表示部パネル２を、それぞれが片面表示可能に構成した２枚の表示部パネルを組み合わせて構成してもよい。表示部パネル２の表示領域２ａは、筺体３の中心に対して非対称に形成されている。この情報表示用パネル１は、本発明の折り畳み式情報表示装置の複数枚の情報表示用パネルの１枚として用いることができる。
【００１０】
図２（ａ）、（ｂ）はそれぞれ、本発明の折り畳み式情報表示装置を構成し得る片面表示可能な情報表示用パネルの一例を説明するための図であり、図２（ａ）は平面図を、図２（ｂ）は図２（ａ）のＡ−Ａ線に沿った断面図を、それぞれ示している。図２（ａ）、（ｂ）において図１（ａ）、（ｂ）に示す情報表示用パネルと同一の部材には同一の符号を付し、その説明を省略する。図２（ａ）、（ｂ）に示す例では、表示部パネル２を、片面表示可能に構成した１枚の表示部パネルを用いて構成している。表示部パネル２の表示領域２ａは、筺体３の中心に対して非対称に形成されている。この情報表示用パネル１も、本発明の折り畳み式情報表示装置の複数枚の情報表示用パネルの１枚として用いることができる。
【００１１】
本発明の折り畳み式情報表示装置は、１面表示および複数面表示を実現するために、図１（ａ）、（ｂ）に示す両面表示可能な情報表示用パネルを少なくとも１枚用いるとともに、図１（ａ）、（ｂ）に示す両面表示可能な情報表示用パネルまたは図２（ａ）、（ｂ）に示す片面表示可能な情報表示用パネルを少なくとも１枚用いて、２枚以上の情報表示用パネルで構成することができる。本発明の折り畳み式情報表示装置の最小構成は、「図１（ａ）、（ｂ）に示す両面表示可能な情報表示用パネル１枚＋図２（ａ）、（ｂ）に示す片面表示可能な情報表示用パネル１枚」によって実現することができるが、以下に説明する本発明の折り畳み式情報表示装置の構成例は、「図１（ａ）、（ｂ）に示す両面表示可能な情報表示用パネル４枚（実際には、図１（ａ）、（ｂ）に示すもの２枚と、図１（ａ）、（ｂ）に示すものの左右反対勝手のもの２枚とを用いる）」によって構成されている。
【００１２】
なお、「４枚の図１（ａ）、（ｂ）に示す両面表示可能な情報表示用パネル」として、「片面がカラーフィルターを用いたカラー情報表示用パネルで構成されている両面表示可能な情報表示用パネル」を用いることにより、カラー表示に対応した折り畳み式情報表示装置とすることができる。
【００１３】
図３（ａ）〜（ｃ）はそれぞれ、本発明の折り畳み式情報表示装置の構成例の折り畳み時の状態を示す図であり、図３（ａ）は平面図を、図３（ｂ）は図３（ａ）のＡ−Ａ線に沿った断面図を、図３（ｃ）は図３（ａ）のＢ−Ｂ線に沿った断面図をそれぞれ示している。この折り畳み式情報表示装置１１は、図示上下方向および左右方向のそれぞれにおいて、２枚の両面表示可能な情報表示用パネル１をヒンジ４で連結して構成されている。
【００１４】
図４は本発明の折り畳み式情報表示装置を構成する情報表示用パネルの筺体の一例を示す図である。図４に示す筺体３は、前面下端部に操作ボタン類５を集中配置している。
図５は本発明の折り畳み式情報表示装置を構成する情報表示用パネルの筺体の他の例を示す図である。図５に示す筺体３は、図示下部側面および右側面に操作ボタン類５を分散配置している。
図４および図５に示す筺体３には、情報表示用パネル１の表示パネル部２の表示領域２ａに対応する窓部３ａが形成されており、図１（ａ）、（ｂ）に示す両面表示可能な情報表示用パネル１を収容して、ここでは図示しない筺体カバーで装置前面を覆うように構成されている。
【００１５】
図６は本発明の折り畳み式情報表示装置の構成例において筺体カバーを外して筺体の内部の状態を示す図である。筺体３の右側の部分および下側の部分には、ドライバーＩＣ６を搭載した制御基板７−１，７−２が配置されている。制御基板７−１の上端部および制御基板７−２の左端部にはそれぞれ、コネクタ受８が設けられている。このコネクタ受８と、隣接する情報表示用パネル１の筺体３に設けたコネクタ受８との間を、ヒンジ４の内部を通過させたコネクタ配線（図示せず）で接続することにより、隣接する情報表示用パネル１との間で相互の電気的接続を行うようにしている。
【００１６】
次に、本発明の折り畳み式情報表示装置の構成例の表示動作を図３（ａ）〜（ｃ）および図７（ａ）〜（ｃ）〜図９（ａ）〜（ｃ）に基づいて説明する。
【００１７】
［１面表示］
図３（ａ）〜（ｃ）に示すように、４枚の情報表示用パネル１を折り畳むことにより、１面表示を行う折り畳み式情報表示装置１１となる。この場合、折り畳んだときに前面に配置される情報表示用パネルの操作ボタン類５を用いて、ページめくり操作やページ戻し操作を行うことにより、「書籍の１ページだけを熟読する読書動作」を行うことができる。
【００１８】
［２面表示；その１］
図３（ａ）の折り畳み状態から、図７（ａ）〜（ｃ）に示すように、４枚の情報表示用パネル１を左右方向に１回広げることにより、２面表示を行う折り畳み式情報表示装置１１となる。この場合、広げたときに前面に配置される情報表示用パネルの操作ボタン類５の一方または双方を用いて、ページめくり操作やページ戻し操作を行うことにより、「書籍の２ページを左右の見開きで俯瞰する読書動作」を行うことができる。
【００１９】
［２面表示；その２］
図３（ａ）の折り畳み状態から、図８（ａ）〜（ｃ）に示すように、４枚の情報表示用パネル１を上下方向に１回広げることにより、２面表示を行う折り畳み式情報表示装置１１となる。この場合、広げたときに前面に配置される情報表示用パネルの操作ボタン類５の一方または双方を用いて、ページめくり操作やページ戻し操作を行うことにより、「書籍の２ページを上下の見開きで俯瞰する読書動作」を行うことができる。
【００２０】
［４面表示］
図７（ａ）または図８（ａ）の１回広げた状態から再度もう１回広げることにより、図９（ａ）〜（ｃ）に示すように、４面表示を行う折り畳み式情報表示装置１１となる。この場合、広げたときに前面に配置される情報表示用パネルの操作ボタン類５の何れか１つまたは２つ以上を用いて、ページめくり操作やページ戻し操作を行うことにより、「書籍の４ページを上下左右の見開きで俯瞰する読書動作」を行うことができる。
【００２１】
以上説明したように、本発明の折り畳み式情報表示装置１１は、折り畳んで使用することにより１面表示（片面表示）を実現することができ、広げて使用することにより複数面表示（２面表示、４面表示）を実現することができる。
【００２２】
本発明の折り畳み式情報表示装置１１によれば、少なくとも１枚の両面表示可能な情報表示用パネルと、少なくとも片面表示可能な１枚の情報表示用パネルとを含む複数枚の情報表示用パネル（４枚の両面表示可能な情報表示用パネル１）を折り畳めるようにヒンジ４で連結して構成したから、折り畳んで使用することにより１面表示（片面表示）を実現することができ、広げて使用することにより複数面表示（２面表示、４面表示）を実現することができるため、１面表示（片面表示）および複数面表示（２面表示、４面表示）を実現し得る折り畳み式情報表示装置となる。
その際、折り畳めば１面表示（片面表示）を行うコンパクトな状態になり、複数枚を広げれば、俯瞰して情報を見ることができるようになるので、地図や図形情報等の表示に好適であり、図７（ａ），図８（ａ）の２倍拡大表示や、図９（ａ）の４倍拡大表示が可能になる。したがって、従来技術では実現できなかった、コンパクトな一面表示と情報表示用パネルを並列させた複数面表示を、本発明の折り畳み式情報表示装置１台で両立させることができ、通常の本や雑誌などのように、見開きで俯瞰したり、片方だけのページを熟読したりして情報を閲覧することができる。特に、地図や新聞として使用する場合には、見開きでの俯瞰動作と、熟読（詳細に眺める）動作を繰り返すので、本発明の折り畳み式情報表示装置はその場合に特に有効である。
【００２３】
上述した実施形態において、両面表示可能な情報表示用パネル１を両面表示可能な１枚の表示部パネルで構成する場合として好ましい態様は以下の通りである。まず、電界駆動可能な表示媒体としては、帯電性粒子を含んだ粒子群として構成した表示媒体を気体中空間で駆動する方式や、帯電性粒子を絶縁液体中で駆動する方式（マイクロカプセル型を含む電気泳動方式）や、半分ずつ帯電極性および色が異なる部分で構成した帯電性粒子を絶縁液体とともにマイクロカプセル中で駆動（回転）する方式のものに適用できる。また、両面表示可能な情報表示用パネルでは、２枚の透明基板には、透明な導電材料で電極を対で設け、この対電極間に形成された電界によって表示媒体を駆動させて画像等の情報表示を書き換える。対電極は、ライン電極を互いに直交交差させて形成したり、個別電極を対向させて形成したりすることができる。いずれの場合も１電極対を１画素（１ドット）とするドットマトリックス表示方式の表示部パネルとすることができる。
【００２４】
さらに、基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系シートを用いることができ、このうち観察面となる側の基板には透明なものを用いる。両面表示可能な情報表示用パネル１を、片面表示式の表示部パネルを２枚用いて構成する場合には、上記駆動方式の表示部パネルの他、液晶方式やエレクトロクロミック表示方式の表示部パネルも好適に用いられる。表示面側基板は前記材料のうち透明なものを用いるが、もう一方の基板には透明でないものも用いることができる。さらにまた、ライン電極で構成した対電極の場合にはパッシブ駆動方式を用い、個別電極で構成した対電極の場合にはアクティブ駆動方式を用いる。いずれの場合もドットマトリックス型情報表示用パネルとすることができる。
【００２５】
次に、表示部パネル２の具体例として、帯電性粒子を含んだ粒子群として構成した表示媒体を気体中空間で駆動する方式の一例を、図１０（ａ）、（ｂ）〜図１５（ａ）、（ｂ）それぞれを参照して説明する。
【００２６】
図１０（ａ）、（ｂ）〜図１２（ａ）、（ｂ）に示した例では、帯電性粒子を含んだ粒子群として構成した電界駆動可能な表示媒体３３を２枚の透明基板３１、３２間の空間に封入し、透明基板３１、３２のそれぞれに設けた透明電極３５、３６から電界を付与することで、表示媒体３３を移動させて画像等の情報表示を書き換えできるドットマトリックス表示方式の両面表示可能な表示部パネル２を示している。また、表示媒体３を封入する透明基板３１、３２間の空間は、隔壁３４により複数のセル（小部屋）３７で仕切られている。これにより、封入した表示媒体３３が偏ることを防止できる。なお、表示媒体３３をマイクロカプセルに封止した場合には、このマイクロカプセルがセル（小部屋）の機能を有するので、さらにセル（小部屋）を設けなくても良い。
【００２７】
図１０（ａ）、（ｂ）に示す例では、３つのセル３７を表示単位（１ドット）とし、それぞれのセル３７に、白色表示媒体３３Ｗと赤色表示媒体３３Ｒとの２色の組み合わせの表示媒体、白色表示媒体３３Ｗと緑色表示媒体３３Ｇとの２色の組み合わせの表示媒体、白色表示媒体３３Ｗと青色表示媒体３３ＢＬとの２色の組み合わせの表示媒体、を封入してカラードット表示している。図１０（ａ）、（ｂ）に示す例とも観察者に対し赤色ドット表示を行っている。図１０（ａ）と図１０（ｂ）との相違点は、図１０（ａ）に示す例では電極３５、３６をライン電極として構成しているのに対し、図１０（ｂ）に示す例では電極３５、３６を個別電極として構成している点である。表示媒体の２色の組み合わせは上述した例に限定されるものではなく、例えば、それぞれのセルに黒赤２色、黒緑２色、黒青２色の組み合わせで表示媒体を封入した構成によってもカラードット表示することができる。
【００２８】
図１１（ａ）、（ｂ）に示す例では、３つのセル３７を表示単位（１ドット）とし、それぞれのセル３７の両面に、三原色カラーフィルター４１Ｒ、４１Ｇ、４１ＢＬを配置し、白色表示媒体３３Ｗと黒色表示媒体３３Ｂの２色の表示媒体によってカラードット表示している。図１１（ａ）、（ｂ）とも観察者に対し青色ドット表示を行っている。図１１（ａ）と図１１（ｂ）との相違点は、図１１（ａ）に示す例では電極３５、３６をライン電極として構成しているのに対し、図１１（ｂ）に示す例では電極３５、３６を個別電極として構成している点である。他の構成として、４つのセル３７を表示単位（１ドット）とし、それぞれのセル３７に三原色カラーフィルターと無色のカラーフィルターとを配置し、白黒２色の表示媒体によってカラードット表示することもできる。
【００２９】
また、カラーフィルターを用いてカラー表示する場合には、表裏両面にカラーフィルターを設けることが好ましいが、どちらかの面ではカラー表示でなく２色で表示させたい場合にはどちらか１面にカラーフィルターを設けるだけでよい。このように構成することで、両面表示可能な表示部パネルとして、一面を高精細な文字等の情報を表示するのに好適なモノクロドット表示とし、他の面を図形等の情報を表示するのに好適なカラードット表示とした表示部パネルを得ることができる。もちろん、用途に応じて、両面モノクロ表示とすることもでき、読書を行うための電子書籍とする場合には、目が疲れにくくて見易い白地に黒色ドット表示されるモノクロ表示が好ましい。
【００３０】
図１２（ａ）、（ｂ）に示す例では、３つのセル３７を表示単位（１ドット）とし、それぞれのセル３７に、白色表示媒体３３Ｗとマゼンタ色表示媒体３３Ｍとの２色の組み合わせの表示媒体、白色表示媒体３３Ｗとシアン色表示媒体３３Ｃとの２色の組み合わせの表示媒体、白色表示媒体３３Ｗとイエロー色表示媒体３３Ｙとの２色の組み合わせの表示媒体、を封入してカラードット表示している。図１２（ａ）、（ｂ）とも観察者に対しマゼンタ色表示を行っている。図１２（ａ）と図１２（ｂ）との相違点は、図１２（ａ）に示す例では電極３５、３６をライン電極として構成しているのに対し、図１２（ｂ）に示す例では電極３５、３６を個別電極として構成している点である。
【００３１】
また、情報表示用パネル１をそれほど薄くする必要がない場合は、図１３（ａ）、（ｂ）に示すように、２枚の片面表示式表示部パネル２−１と２−２とを互いの片側表示面２ｃが外側を向くように背中合わせに重ねた構成をとることができる。片面表示式表示部パネル２−１、２−２では、背中合わせになる側の基板および電極は透明でなくてもよい。
【００３２】
図１４（ａ）、（ｂ）および図１５（ａ）、（ｂ）はそれぞれ本発明において両面表示式表示部パネルとして２枚の片面表示式表示部パネル２−１、２−２を用いた例を示す図である。図１４（ａ）、（ｂ）に示す例では、２枚の表示部パネル２−１の背面側と２−２の背面側とを接着剤５１で貼り合わせて両面表示可能な表示部パネルを構成している。本例では、表示面となる基板２枚は透明とし、背面側基板は非透明としている。図１４（ａ）に示す例では、モノクロ表示の両面表示式表示部パネルの例を示し、図１４（ｂ）に示す例では、Ｒ、Ｇ、Ｂカラーフィルターによるカラー表示の両面表示式表示部パネルの例を示している。図１５（ａ）、（ｂ）に示す例では、片面表示式表示部パネル２−１、２−２の背面側の基板を１枚の中央基板５２で共用し、３枚の基板で両面表示可能な表示部パネルを構成している。本例では、表示面となる基板２枚は透明とし、背面側基板は非透明としている。図１５（ａ）に示す例では、モノクロ表示の両面表示式表示部パネルの例を示し、図１５（ｂ）に示す例では、Ｒ、Ｇ、Ｂカラーフィルターによるカラー表示の両面表示式表示部パネルの例を示している。
【産業上の利用可能性】
【００３３】
本発明の折り畳み式情報表示装置は、電子書籍、電子新聞、電子辞書、電子カタログ、電子マニュアル（取扱説明書）、電子手帳、電子カレンダー、電子楽譜等に好適に用いることができる。
【図面の簡単な説明】
【００３４】
【図１】（ａ）、（ｂ）はそれぞれ、本発明の折り畳み式情報表示装置を構成し得る両面表示可能な情報表示用パネルの一例を説明するための図である。
【図２】（ａ）、（ｂ）はそれぞれ、本発明の折り畳み式情報表示装置を構成し得る片面表示可能な情報表示用パネルの一例を説明するための図である。
【図３】（ａ）〜（ｃ）はそれぞれ、本発明の折り畳み式情報表示装置の構成例の折り畳み時の状態を示す図である。
【図４】本発明の折り畳み式情報表示装置を構成する情報表示用パネルの筺体の一例を示す図である。
【図５】本発明の折り畳み式情報表示装置を構成する情報表示用パネルの筺体の他の例を示す図である。
【図６】本発明の折り畳み式情報表示装置の構成例において筺体カバーを外して筺体の内部の状態を示す図である。
【図７】（ａ）〜（ｃ）はそれぞれ、本発明の折り畳み式情報表示装置の構成例の表示動作を説明するための図である。
【図８】（ａ）〜（ｃ）はそれぞれ、本発明の折り畳み式情報表示装置の構成例の表示動作を説明するための図である。
【図９】（ａ）〜（ｃ）はそれぞれ、本発明の折り畳み式情報表示装置の構成例の表示動作を説明するための図である。
【図１０】（ａ）、（ｂ）はそれぞれ、本発明の折り畳み式情報表示装置に用いる表示部パネルの一具体例を説明するための図である。
【図１１】（ａ）、（ｂ）はそれぞれ、本発明の折り畳み式情報表示装置に用いる表示部パネルの他の具体例を説明するための図である。
【図１２】（ａ）、（ｂ）はそれぞれ、本発明の折り畳み式情報表示装置に用いる表示部パネルのさらに他の具体例を説明するための図である。
【図１３】（ａ）、（ｂ）はそれぞれ、本発明の折り畳み式情報表示装置に用いる表示部パネルのさらに他の具体例を説明するための図である。
【図１４】（ａ）、（ｂ）はそれぞれ、本発明の折り畳み式情報表示装置に用いる表示部パネルのさらに他の具体例を説明するための図である。
【図１５】（ａ）、（ｂ）はそれぞれ、本発明の折り畳み式情報表示装置に用いる表示部パネルのさらに他の具体例を説明するための図である。
【図１６】（ａ），（ｂ）はそれぞれ、従来の情報表示装置の構成を示す図である。
【符号の説明】
【００３５】
１  情報表示用パネル
２  表示部パネル
２ａ  表示領域
２−１
２−２
３  筐体
３ａ  窓部
４  ヒンジ
５  操作ボタン類
６  ドライバーＩＣ
７−１，７−２  制御基板
８  コネクタ受
１１  折り畳み式情報表示装置
３１、３２  透明基板
３３  表示媒体（粒子群）
３３Ｗ  白色表示媒体
３３Ｂ  黒色表示媒体
３３Ｒ  赤色表示媒体
３３Ｇ  緑色表示媒体
３３ＢＬ  青色表示媒体
３３Ｍ  マゼンタ色表示媒体
３３Ｃ  シアン色表示媒体
３３Ｙ  イエロー色表示媒体
３４  隔壁
３５、３６  透明電極
３７ セル
４１Ｒ  赤色カラーフィルター
４１Ｇ  緑色カラーフィルター
４１ＢＬ  青色カラーフィルター
【図１】
2009122189.tif 000003
【図２】
2009122189.tif 000004
【図３】
2009122189.tif 000005
【図４】
2009122189.tif 000006
【図５】
2009122189.tif 000007
【図６】
2009122189.tif 000008
【図７】
2009122189.tif 000009
【図８】
2009122189.tif 000010
【図９】
2009122189.tif 000011
【図１０】
2009122189.tif 000012
【図１１】
2009122189.tif 000013
【図１２】
2009122189.tif 000014
【図１３】
2009122189.tif 000015
【図１４】
2009122189.tif 000016
【図１５】
2009122189.tif 000017
【図１６】
2009122189.tif 000018